(57)【特許請求の範囲】
【請求項１】
各ユーザの保持する携帯無線端末から発信される端末ＩＤ情報を含む無線電波を非通話状態でも受信することにより、ユーザを識別するユーザ識別手段と、
各ユーザの保持する携帯無線端末の呼び出し番号を記憶する連絡先記憶手段と、
当該ユーザ識別手段により識別したユーザの保持する携帯無線端末の呼び出し番号を当該連絡先記憶手段から読み出し、当該携帯無線端末に所定メッセージを発信するメッセージ発信手段
とを備える画像処理装置であって、
前記ユーザ識別手段で受信した、端末ＩＤ情報を含む複数の無線電波のうち最も強い無線電波の端末ＩＤ情報およびコピーを受け付けた時のユーザＩＤを識別することにより、前記画像処理装置によるコピーを行ったユーザが前記画像処理装置の前にいるかチェツクし、前記画像処理装置によるコピーを行ったユーザが前記画像処理装置の前にいる場合、前記画像処理装置の操作部によりメッセージを表示し、
前記ユーザ識別手段で受信した、端末ＩＤ情報を含む複数の無線信電波のうち最も強い無線電波の端末ＩＤ情報およびコピーを受け付けた時のユーザＩＤを識別した結果、前記画像処理装置によるコピーを行ったユーザ以外が前記画像処理装置の前にいるもしくはだれもいない場合であって、前記コピーが時間のかかるコピーの場合、前記メッセージ発信手段を用いて前記コピーの終了メッセージを発信し、前記コピーが単コピーの場合原稿またはコピーの取り忘れメッセージを発信する
ことを特徴とする画像処理装置。
【請求項２】
各ユーザの保持する携帯無線端末から発信される端末ＩＤ情報を含む無線電波を非通話状態でも受信することにより、ユーザを識別するユーザ識別ステップと、
各ユーザの保持する携帯無線端末の呼び出し番号を連絡先記憶手段に記憶する連絡先記憶ステップと、
当該ユーザ識別ステップにより識別したユーザの保持する携帯無線端末の呼び出し番号を当該連絡先記憶手段から読み出し、当該携帯無線端末に所定メッセージを発信するメッセージ発信ステップ
とを備える画像処理方法であって、
前記ユーザ識別ステップで、受信した、端末ＩＤ情報を含む複数の無線電波のうち最も強い無線電波の端末ＩＤ情報およびコピーを受け付けた時のユーザＩＤを識別することにより、所定画像処理装置によるコピーを行ったユーザが前記所定画像処理装置の前にいるかチェツクし、前記所定画像処理装置によるコピーを行ったユーザが前記所定画像処理装置の前にいる場合、前記所定画像処理装置の操作部によりメッセージを表示し、
前記ユーザ識別ステップで、受信した、端末ＩＤ情報を含む複数の無線信電波のうち最も強い無線電波の端末ＩＤ情報およびコピーを受け付けた時のユーザＩＤを識別した結果、前記所定画像処理装置によるコピーを行ったユーザ以外が前記画像処理装置の前にいるもしくはだれもいない場合であって、前記コピーが時間のかかるコピーの場合、前記メッセージ発信手段を用いて前記コピーの終了メッセージを発信し、前記コピーが単コピーの場合原稿またはコピーの取り忘れメッセージを発信する
ことを特徴とする画像処理方法。
【発明の詳細な説明】
【０００１】
【発明の属する技術分野】
本発明は、ユーザＩＤ識別機能を有する画像処理装置及び方法に関し、より具体的には、ユーザＩＤ識別機構を備えた複写機又は画像読み取り装置等の画像処理装置及び方法に関する。
【０００２】
【従来の技術】
従来、ユーザを個別に識別できる複写機として、ＩＤカードリーダを備えたものが知られている。そのような複写機では、ユーザが、自己のＩＤデータが磁気記録されたＩＤカードをＩＤカードリーダで読み取らせることにより、ユーザのＩＤを複写機に入力する。また、操作パネルからユーザにＩＤと暗証番号を入力させるようにした複写機も、知られている。
【０００３】
入力されたＩＤは、複写機内のメモリに登録されたＩＤと比較され、その結果に従い、利用権又は利用範囲若しくは利用方法が特定又は限定される。例えば、コピーを許可されたＩＤに対してはコピー可能状態へと移行するし、限定的なコピーの許可であれば、許可された範囲内でのコピーが可能になる。コピーモードが許可されたものに自動的に切り換えられたりする。
【０００４】
【発明が解決しようとする課題】
しかし、従来例では、例えば、コピー作業終了後に原稿台に原稿が忘れ去られていた場合に、コピーを取ったユーザが分かっているにも関わらず原稿忘れを通知する手段がなかった。また、ユーザが、複数部にわたる連続コピー動作を設定し、複写機に動作させたまま、操作部の前から離れた場合に、ジャムが発生しても、ユーザが戻ってくるまでそれを知る手段はなかった。
【０００５】
このような不都合は、複写機のみならず、画像読取り装置、例えば、ファクシミリ伝送などの遠隔コピーのための画像読取り装置でも同様である。
【０００６】
そこで本発明では、入力されたＩＤを基に適宜にユーザに通知をする機能を具備する画像処理装置及び方法を提示することを目的とする。
【０００７】
【課題を解決するための手段】
本発明に係る画像処理装置は、各ユーザの保持する携帯無線端末から発信される端末ＩＤ情報を含む無線電波を非通話状態でも受信することにより、ユーザを識別するユーザ識別手段と、各ユーザの保持する携帯無線端末の呼び出し番号を記憶する連絡先記憶手段と、当該ユーザ識別手段により識別したユーザの保持する携帯無線端末の呼び出し番号を当該連絡先記憶手段から読み出し、当該携帯無線端末に所定メッセージを発信するメッセージ発信手段とを備える画像処理装置であって、前記ユーザ識別手段で受信した、端末ＩＤ情報を含む複数の無線電波のうち最も強い無線電波の端末ＩＤ情報およびコピーを受け付けた時のユーザＩＤを識別することにより、前記画像処理装置によるコピーを行ったユーザが前記画像処理装置の前にいるかチェツクし、前記画像処理装置によるコピーを行ったユーザが前記画像処理装置の前にいる場合、前記画像処理装置の操作部によりメッセージを表示し、前記ユーザ識別手段で受信した、端末ＩＤ情報を含む複数の無線信電波のうち最も強い無線電波の端末ＩＤ情報およびコピーを受け付けた時のユーザＩＤを識別した結果、前記画像処理装置によるコピーを行ったユーザ以外が前記画像処理装置の前にいるもしくはだれもいない場合であって、前記コピーが時間のかかるコピーの場合、前記メッセージ発信手段を用いて前記コピーの終了メッセージを発信し、前記コピーが単コピーの場合原稿またはコピーの取り忘れメッセージを発信することを特徴とする。
また、本発明に係る画像処理方法は、各ユーザの保持する携帯無線端末から発信される端末ＩＤ情報を含む無線電波を非通話状態でも受信することにより、ユーザを識別するユーザ識別ステップと、各ユーザの保持する携帯無線端末の呼び出し番号を連絡先記憶手段に記憶する連絡先記憶ステップと、当該ユーザ識別ステップにより識別したユーザの保持する携帯無線端末の呼び出し番号を当該連絡先記憶手段から読み出し、当該携帯無線端末に所定メッセージを発信するメッセージ発信ステップとを備える画像処理方法であって、前記ユーザ識別ステップで、受信した、端末ＩＤ情報を含む複数の無線電波のうち最も強い無線電波の端末ＩＤ情報およびコピーを受け付けた時のユーザＩＤを識別することにより、所定画像処理装置によるコピーを行ったユーザが前記所定画像処理装置の前にいるかチェツクし、前記所定画像処理装置によるコピーを行ったユーザが前記所定画像処理装置の前にいる場合、前記所定画像処理装置の操作部によりメッセージを表示し、前記ユーザ識別ステップで、受信した、端末ＩＤ情報を含む複数の無線信電波のうち最も強い無線電波の端末ＩＤ情報およびコピーを受け付けた時のユーザＩＤを識別した結果、前記所定画像処理装置によるコピーを行ったユーザ以外が前記画像処理装置の前にいるもしくはだれもいない場合であって、前記コピーが時間のかかるコピーの場合、前記メッセージ発信手段を用いて前記コピーの終了メッセージを発信し、前記コピーが単コピーの場合原稿またはコピーの取り忘れメッセージを発信することを特徴とする。
【０００８】
このような構成により、原稿又はコピーの取り忘れがあった場合に、各ユーザにその旨を迅速に通知できるようになる。
【０００９】
【実施例】
以下、図面を参照して本発明の実施例を詳細に説明する。
【００１０】
図１は、複写機に適用した本発明の一実施例の概略構成ブロック図、図２は、本実施例の外観斜視図を示す。
【００１１】
先ず、図２を参照して、本実施例の概要を説明する。本実施例は、基本的に、スキャナ部１０とプリンタ部１２とからなる。スキャナ部１０は、内蔵するスキャナ制御ＣＰＵ（図示せず。）によって制御され、プリンタ部１２も、別に内蔵するプリンタ制御ＣＰＵ（図示せず。）によって制御される。２つの制御ＣＰＵは、例えば、共有メモリ又はシリアル通信手段を介して通信する。スキャナ部１０で読み取られた画像データは、プリンタ部１２に送られ、プリント出力される。
【００１２】
スキャナ部１０は、コピー動作を操作するための操作パネル１４、透明ガラスからなる原稿台１６、原稿台１６に置いた原稿を押さえ、外光の入射を防ぐ圧板１８、原稿台１６に原稿が置かれているか否かを検出すべく原稿台１６の下部に置かれた原稿センサ（図示せず。）、及び原稿台１６に置かれている原稿の画像を読み取る画像読取り機構からなる。画像読取り機構は、周知の通り、例えば、原稿台１６のガラス板の下側を移動するラインセンサと、読取り部位を照明する照明装置とを具備する。
【００１３】
ユーザが原稿台１６上に原稿をセットし、操作パネル１４のコピー開始ボタンを押すと、画像読み取り機構は、プリンタ制御ＣＰＵとの通信により、印刷可能なタイミング、例えば電子写真系プリンタにおけるドラムの回転及び用紙搬送における印刷可能な画像先端位置などに同期して、スキャナ制御ＣＰＵによる制御下で原稿の画像読取りを開始し、読み取った画像データをビデオＩ／Ｆを介してプリンタ部１２に供給する。
【００１４】
プリンタ部１２では、スキャナ部１０から送られてきた画像データから電子写真方式又はインクジェット方式等の内蔵する画像形成機構により、用紙カセット２０又は手差し用紙口２２から供給された用紙に可視画像を形成し、排出口２４に排出する。なお、排出口２４には、排出した用紙が残されていることを検知するセンサ（図示せず。）が備えられている。ここまでは、従来の複写機と異なるところは無い。
【００１５】
本実施例では更に、ＩＤ識別手段としてＰＨＳ内線電話機端末（以下、ＰＨＳ端末という。）の発信電磁波を受信する受信アンテナを具備し、受信した電波によりＰＨＳ端末のＩＤを識別するＰＨＳＩＤ識別装置２６が、スキャナ部１０に装備されている。更には、メッセージ発信手段として、ＰＨＳ内線電話発信装置２８を具備する。スキャナ制御ＣＰＵは、ＩＤ登録手段として登録ＩＤメモリ（図示せず。）を具備する。この複写機の使用を許可されたユーザのＰＨＳ端末のＩＤ番号と内線番号を操作パネル１４から入力すると、スキャナ制御ＣＰＵは、その情報を対にして登録ＩＤメモリに記憶する。
【００１６】
近年、無線携帯端末が普及してきており、特定の企業内又はその事業所内でのみ使用可能となる携帯端末、例えば構内ＰＨＳも普及してきている。このような携帯端末は、多くの場合、特定個人に１端末ずつ支給されており、特定個人直通の内線電話としても利用される。これらの携帯無線端末は、構内の各所に設置された複数のアンテナ基地局と電波信号を送受信し、構内内線電話交換機はアンテナ基地局と有線で通信することによって、構内のどこの基地局にどの携帯端末が繋がっているかを把握し、アンテナ基地局を通じて各端末を相互に接続する。
【００１７】
携帯無線端末は、常にアンテナ基地局と繋がった状態であろうとするため、非通話状態においてもある程度の間隔で電波を発信している。この電波には端末を特定するためのＩＤ情報が含まれている。本実施例では、この携帯無線端末のＩＤ情報を、複写機等を使用するユーザのＩＤとして利用する。
【００１８】
図１を参照して、本実施例の特徴的な構成とその動作を説明する。図１には、上述のＰＨＳＩＤ識別装置２６、ＰＨＳ内線電話発信装置２８及び登録ＩＤメモリに関する部分を詳細に図示してある。
【００１９】
ＰＨＳＩＤ識別装置２６の受信アンテナ３０は、複写機の操作パネルの前面に配置され、その感度は極めて弱いもので、複写機前面の１ｍ以内に存在するＰＨＳ端末からの発信電磁波を受信できる程度のものである。すなわち、ＰＨＳ端末３２を持つユーザがコピーを取ろうとして操作パネルの前面に立ったときのみ、ＰＨＳ端末３２からの発信電波を受信することができる。ＰＨＳ端末３２からは、通常、ある頻度で端末ＩＤ情報を含む電波が発信されており、受信アンテナ３０はその電波を受信できる。
【００２０】
受信アンテナ３０で受信したＰＨＳ端末３２からの電波は、復調パケット生成装置３４の復調回路３６に入力され、ここでディジタル信号に変換されてパケット生成回路３８に供給される。受信アンテナ３０で受信した電波信号は同時に、電波強度測定回路４０にも入力される。電波強度測定回路４０は電波強度を測定し、測定結果をパケット生成回路３８に印加する。パケット生成回路３８は、復調回路３６からのディジタル信号に強度測定回路４０からの強度信号を付加し、パケットデータとしてＩＤ信号選択装置４２に供給する。
【００２１】
ＩＤ信号選択装置４２では、パケット生成回路３８からのパケット・データを順次、バッファ・メモリ４４に書き込む。選択回路４６は、バッファメモリ４２上の所定時間内のパケットデータの中から、それぞれの強度信号を調べ、或るしきい値以上で最も強度の強いパケットを一つ選択し、選択したパケットデータからＩＤ信号のみを取り出してレジスタ４８に書き込む。しきい値は、ＰＨＳ端末３２が複写機の操作パネル１４のすぐ前面に存在するときに受信する程度の値に設定される。所定時間内にしきい値以上の強度の信号が無い場合は、レジスタ４８にはオール０の値が書き込まれる。
【００２２】
ＩＤ信号選択装置４２により、たまたま複写機の近くを通った人の携帯するＰＨＳ端末ＩＤはしきい値で跳ねられ、また、操作パネル近傍に複数のＰＨＳ端末を携帯する人が存在する場合は、コピーを取ろうと複写機の前面のもっとも近くに立ったユーザの持つＰＨＳ端末のＩＤのみが識別されることになる。
【００２３】
ＩＤ信号選択装置４２のレジスタ４８は、スキャナ制御ＣＰＵ５０のデータバスに接続する。レジスタ４８をマッピングした領域にスキャナ制御ＣＰＵ５０ががアクセスすると、レジスタ４８の記憶データがスキャナ制御ＣＰＵ５０に読み出される。スキャナ制御ＣＰＵ５０は、レジスタ４８からデータを読み出せるが、データを書き込むことはできない。
【００２４】
スキャナ制御ＣＰＵ５０は、スタンバイ状態（コピー禁止状態）の時に、一定頻度で、レジスタ４８のデータを読み取る。レジスタ４８の記憶値がオール０でない場合、複写機の前面にユーザが立っているものと判断し、ＩＤ判別処理を実行する。スキャナ制御ＣＰＵ５０はまた、判別したユーザが操作パネル１４のコピー開始ボタンを押してコピー動作を開始する前にレジスタ４８の記憶値（ユーザＩＤ）が変わった場合、新たなユーザが複写機前面に立ったものとして、ＩＤ判別処理を実行する。コピー動作開始後に、レジスタ４８の記憶値が変わった場合は、スキャナ制御ＣＰＵ５０は、コピー動作終了後の後述する処理を実行した後に、ＩＤ判別処理を実行する。
【００２５】
スキャナ制御ＣＰＵ５０には、登録ＩＤメモリ５２及びメッセージメモリ５４が接続する。スキャナ制御ＣＰＵ５０は、登録ＩＤメモリ５２に自由にアクセスできる。登録ＩＤメモリ５２には予め、この複写機に対して使用許可が出されているユーザのＩＤが登録されている。スキャナ制御ＣＰＵ５０は、レジスタ４８から読み取ったＩＤを、登録ＩＤメモリ５２に記憶されるＩＤと比較し、登録ＩＤメモリ５２に記憶されるいずれかのＩＤと一致した時のみ、登録ユーザによるコピーと判断して、コピー操作を許可する。
【００２６】
図３は、このＩＤ判別処理の一連の動作のフローチャートを示す。複写機の状態は、内蔵プログラムの状態管理タスクによって管理され、初期状態はスタンバイ状態、すなわちコピー禁止状態になっている。コピー禁止状態とは、スキャナ制御ＣＰＵ５０が、状態管理タスクに従って、操作パネル１４の操作入力を受け付けない状態であり、この時、ユーザは、操作パネル１４から複写機を使用することはできない。
【００２７】
前述のように、ＰＨＳ端末３２を持ったユーザが複写機の操作パネル１４の前面に立つと、レジスタ４８には、そのユーザのＩＤが書き込まれる。スキャナ制御ＣＰＵ５０は、一定時間間隔でレジスタ４８の記憶データをチェックし、その値がオール０でなければ、図３に示すＩＤ判別処理を起動する。
【００２８】
起動されたＩＤ判別処理では、先ず、ＩＤ信号選択装置４２のレジスタ４８に記憶されるＩＤデータを読み出し、変数ＵＩＤに代入する（Ｓ１）。次に、ポインタ変数Ｐ＿ＩＤＴに、登録ＩＤメモリに登録されている先頭のＩＤの記憶領域を示すアドレスを設定する（Ｓ２）。
【００２９】
Ｐ＿ＩＤＴの示すアドレスに登録されているＩＤ番号と変数ＵＩＤ（レジスタ４８から読み取ったＩＤ）とが一致しているかどうかを調べ（Ｓ３）、一致していれば（Ｓ３）、スキャナ制御ＣＰＵ５０は、その状態管理情報をコピー可能状態に遷移し、所定の機能（例えば、ＯＳ（オペレーティング・システム）のメール等の機能）によって状態管理タスクに通知して（Ｓ４）、終了する。コピー可能状態になると、状態管理タスクは、操作パネル１４からの入力を有効にする。これにより、そのユーザは、複写機を利用できるようになり、コピー開始ボタンを押して、コピーを取ることができる。
【００３０】
Ｐ＿ＩＤＴの示すアドレスに登録されているＩＤ番号と変数ＵＩＤ（レジスタ４８から読み取ったＩＤデータ）とが一致しない場合（Ｓ３）、ポインタＰ＿ＩＤＴの示す、登録ＩＤメモリ５２に登録されているＩＤデータのアドレスを一つ進め（Ｓ５）、同様に、そのアドレスのＩＤとＵＩＤとを比較する（Ｓ３）。
【００３１】
登録ＩＤメモリ５２に登録されている最後のＩＤまで、ＵＩＤと比較して一致しない場合（Ｓ６）、状態を変化させず（Ｓ７）、終了する。登録されていないユーザであるとして、複写機を利用させない。
【００３２】
なお、コピー可能状態へと移行した場合には、操作パネルの液晶表示パネルに、コピーを取ろうとしているユーザのＩＤ、又は、予め登録ＩＤメモリ５２にＩＤと１対１で登録されているユーザ名を表示する。
【００３３】
勿論、登録ＩＤメモリ５２に予めその他のユーザ情報を付加的に登録しておけば、ユーザによって使用できるコピーモードを限定したり、自動的にコピーモードを切り換えたりすることが可能であることは明白である。これは、コンピュータの各種リソースの利用権の管理と異なることは無い。この場合、状態管理タスクにコピー機能の一部の使用を許可する一部可能状態を設け、各登録ＩＤに対して、対応する機能を許可する状態へと遷移させればよい。
【００３４】
通常、非通話状態のＰＨＳ端末３２からの電波発信には数秒から数分のインターバルがあるので、ユーザが複写機の前に立ってもすぐにコピー可能状態にならない場合もあるが、この場合には、ユーザが、ＰＨＳ端末３２の通話ボタンを押すことによってＰＨＳ端末３２を通話状態とすることにより電波発信の頻度を上げることができ、これにより速やかに複写機をコピー可能状態へと移行させることができる。
【００３５】
登録ＩＤメモリ５２には更に、ユーザＩＤと対にして、そのユーザのＰＨＳ端末の内線番号が登録されている。本実施例では、この内線番号を利用して、複写終了後の原稿の取り忘れ、多数部のコピーを指定してコピー開始した後にユーザが複写機を離れた場合のコピー終了、及び用紙が詰まったこと（ジャム）を、そのユーザの持つＰＨＳ端末に内線電話することにより通知できる。
【００３６】
そのような通知のために、メッセージ・メモリ５４には、それらの通知のための音声メッセージが記憶されている。メッセージ・メモリ５４は、バッテリでバックアップされたＲＡＭでもよいし、変更／追加の必要が無いならばＲＯＭでもよい。本実施例では、メッセージメモリ５４はＲＯＭからなり、予め「原稿又はコピーを取り忘れています。取りに来てください。」（メッセージ＃１）、「コピーを終了しました。原稿とコピーを取りに来て下さい。」（メッセージ＃２）、及び「用紙が詰まりました。取り除いてください」（メッセージ＃３）という３つのメッセージが発音記号形式で記憶されている。
【００３７】
ＰＨＳ内線電話発信装置２８は、スキャナ制御ＣＰＵ５０とのインターフェースとなるレジスタ５６、内線電話発信制御回路５８、指定の内線番号を呼び出す番号呼出し回路６０、発音記号形式のメッセージ・データから音声信号を生成する音声発生装置６２、番号呼出し回路６０からの呼出し信号と音声発生装置６２からの音声信号を切り換えるセレクタ６４、セレクタ６４からディジタル信号を変調してアンテナ６６に出力し、アンテナ６６で受信した電波信号をディジタル信号に復調する変復調回路６８を具備する。
【００３８】
スキャナ制御ＣＰＵ５０は、ＰＨＳ内線電話発信装置２８のレジスタ５６を介して内線電話発信制御回路５８と接続する。レジスタ５６は、その記憶容量が２５６バイトあり、スキャナ制御ＣＰＵ５０からはライトオンリーであり、内線電話発信制御回路５８からはリードオンリーである。スキャナ制御ＣＰＵ５０は、先頭アドレスから１０バイトの領域（アドレス００ｈ〜０９ｈ）に内線電話番号を、次の２００バイトの領域（アドレス０Ａｈ〜Ｄ１ｈ）にメッセージを書き込む。続く４５バイトの領域（アドレスＤ２ｈ〜ＦＥｈ）は、未使用リザーブ領域となっている。最後の１バイト（アドレスＦＦｈ）は、割込み制御領域を兼ねており、ここにスキャナ制御ＣＰＵ５０が何らかのデータを書き込むと、内線電話発信制御回路５８に割込み信号が入るようになっている。
【００３９】
内線電話発信制御回路５８は、割込み信号を受けると、スキャナ制御ＣＰＵ５０が、ユーザへのメッセージ発信を要求していると理解し、先ず、レジスタ５６の先頭１０バイトの内線電話番号領域のデータを読み取り、番号呼出し回路６０に読み取った内線番号を呼び出すように命令するとともに、セレクタ６４を番号呼出し回路６０側に切り換える。番号呼出し回路６０は、ＰＨＳプロトコルに従った呼出し信号を生成する。生成された呼出し信号は、セレクタ６４、変復調回路６８及びアンテナ６６を介してＰＨＳ基地局へ向けて発信される。これにより、指定のユーザのＰＨＳ端末３２が呼び出される。
【００４０】
呼び出されたユーザがＰＨＳ端末３２の通話ボタンを押して通話状態にすると、基地局から番号呼出し回路６０に通話状態になったことが通知され、番号呼出し回路６０は、その旨を内線電話発信制御回路５８に通知する。この通知に応じて、内線電話発信制御回路５８は、セレクタ６４を音声発生装置６２の側に切り換えるとともに、レジスタ５６のアドレス０Ａｈ〜Ｄ１ｈから通知したいメッセージの発音記号を読み取り、音声発生装置６２に供給する。
【００４１】
音声発生装置６２は、内線電話発信制御回路５８からのメッセージから音声信号を生成する。生成された音声信号はセレクタ６４を介して変復調回路６８に印加され、ここで変調され、アンテナ６６からユーザ端末３２に送信される。内線電話発信制御回路５８は、音声メッセージの通知が終了すると、セレクタ６４を再び、番号呼出し回路６０の側に切り換えて回線を遮断する。
【００４２】
次に、コピー終了通知に関するスキャナ制御ＣＰＵ５０の動作を説明する。図４及び図５は、コピー終了通知のフローチャートを示す。ＰＨＳＩＤ識別装置２６により識別されたユーザＩＤ（ＵＩＤ）により受け付けた一連のコピー動作が終了すると、スキャナ制御ＣＰＵ５０は、図４及び図５に示すサブルーチンをコールする。
【００４３】
先ず、予め設定された所定時間、待機する（Ｓ１１）。その間に、同一ユーザ（ＵＩＤ）による新たなコピー開始要求があると（Ｓ１２）、このサブルーチンを終了し、コピー動作を開始する。待機の間、スキャナ制御ＣＰＵ５０の状態管理タスクは、別途、ＰＨＳＩＤ識別装置２６のレジスタ４８をチェックしており、レジスタ４８の値がコピーを受け付けたＵＩＤと一致している間は、コピー可能状態であり続ける。
【００４４】
レジスタ４８の値が変わるか、又は、コピーボタンが押されないままに所定時間、待機したら（Ｓ１１）、原稿やコピーの取り忘れがないか、原稿台および排紙口がチェックされる（Ｓ１３）。原稿もコピーも忘れられていなければ（Ｓ１４）、そのまま終了し、状態管理タスクはコピー禁止状態に戻る。
【００４５】
原稿又はコピーが忘れられている場合には（Ｓ１４）、スキャナ制御ＣＰＵ５０は先ず、レジスタ４８の値を読み取って変数ＵＩＤ０に格納し（Ｓ１５）、コピーを受け付けたときのＩＤ（ＵＩＤ）と等しいかどうかをチェックする（Ｓ１６）。ＵＩＤ０がＵＩＤと一致する場合（Ｓ１６）、同一ユーザが複写機の目の前にいるわけであるから、操作パネル１４に「原稿またはコピーを取り除いて下さい。」と表示するとともに、アラーム音を鳴らす（Ｓ１７）。
【００４６】
ＵＩＤ０がＵＩＤと一致しない場合（Ｓ１６）、複写機の目の前には誰もいない（ＵＩＤ０＝０）か又は他のユーザがいる（ＵＩＤ０≠０）ので、コピーを取ったユーザを呼び出す処理を実行する。即ち、先ず、登録ＩＤメモリ５２から、ＵＩＤと対に登録されている内線電話番号を検索し、検索結果を変数ＰＮＵＭに格納する（Ｓ１８）。終了したコピーが連続コピーかどうかを判別する（Ｓ１９）。ここで連続コピーとは、多数部指定、即ち、フィーダ付きコピー機で複数枚の原稿のコピーを一度に指定した場合など、複数部のコピーを一度に取る場合である。このような場合、ユーザはコピーを開始した後、コピーが完了するまでそのままコピー機の前に留まることは少なく、コピーが終了した頃を見計らって取りに来るのが普通である。本実施例では、単コピー時には原稿又はコピーを取り忘れたと判断し、時間のかかる連続コピー時には、ユーザは単にコピー終了をどこか別の場所で待っているものと判断し、それぞれに異なるメッセージを用意している。
【００４７】
連続コピーの場合（Ｓ１９）、ＰＨＳ内線電話発信装置２８のレジスタ５６の先頭アドレスから１０バイトまでの領域にＰＮＵＭを、続く２００バイト領域にメッセージメモリ５４から読み出したメッセージ＃２（コピー終了しました。原稿とコピーを取りに来てください。）を書き込む（Ｓ２０）。他方、連続コピーでない場合（Ｓ１９）、レジスタ５６に、ＰＮＵＭとメッセージ＃１（原稿又はコピーを取り忘れています。取りに来てください。）を書き込む（Ｓ２１）。Ｓ２０，２１の後、レジスタ５６のアドレスＦＦｈの制御領域に任意の値を書き込み、ＰＨＳ内線電話発信装置２８にコピーを取ったユーザヘ内線電話をかけさせ、メッセージ＃１又は＃２を送信させる（Ｓ２２）。
【００４８】
Ｓ２２，Ｓ２３でメッセージを送信した後、原稿台と排紙口をチェックし続け、原稿とコピーが取り除かれるまで待機する（Ｓ２３）。この時、他のユーザが原稿とコピーを取り除いたとしても、待機を終了するようにしてある。これにより、次にコピーを取ろうとしている人が徒に待たされることが無くなる。
【００４９】
図４及び図５に示すサブルーチンを終了すると、状態管理タスクは、初期状態のコピー禁止状態に戻る。
【００５０】
ジャム時の通知動作を説明する。図示しないジャムセンサ等により用紙のジャムが検知されると、スキャナ制御ＣＰＵ５０はコピーを中断し、コピー動作中状態からジャム状態へと遷移する。この時、従来の複写機では、操作パネルにメッセージ又はアニメーションを表示して、ユーザに詰まった用紙を取り除くように指示していたが、本実施例では、図６に示すフローチャートに従って、ユーザに通知する。
【００５１】
本実施例では先ず、操作パネル１４にジャムの発生を表示する（Ｓ３１）。これは従来の複写機と同等であり、複写機の目の前にコピー開始したユーザがいるか否かに関わらず行なわれる。
【００５２】
スキャナ制御ＣＰＵ５０は次に、ＰＨＳＩＤ識別装置２６のレジスタ４８の値を読み込んで変数ＵＩＤ０に格納し（Ｓ３２）、ＵＩＤと比較することにより、コピー開始したユーザ（ＵＩＤ）が複写機の前にいるかどうかを判別する（Ｓ３３）。ＵＩＤ０がＵＩＤと一致すれば（Ｓ３３）、すぐ目の前にユーザがいるということであるから、そのままジャムが取り除かれるまで操作パネル１４のジャム表示を継続し、ジャムの解消を待つ（Ｓ３７）。ＵＩＤ０がＵＩＤと一致しない場合（Ｓ３３）、コピー開始したユーザが目の前には居ないので、コピー終了を通知する時と同様に、先ず、登録ＩＤメモリ５２からＵＩＤと対に登録されている内線番号を検索して変数ＰＮＵＭに格納し（Ｓ３４）、ＰＨＳ内線電話発信装置２８のレジスタ５６にＰＮＵＭとメッセージ＃３（用紙が詰まりました。取り除いて下さい。）を書き込むと共に制御領域にバイト・データを書き込んで（Ｓ３６）、ユーザに内線電話でジャム発生を通知する。そして、ジャムが取り除かれるまで待機する（Ｓ３７）。この待機の間、特にＵＩＤをチェックせず、誰がジャムを取り除いてもよい。
【００５３】
図６に示すサブルーチンの終了後、ユーザが再びコピー開始ボタンを押すと、コピー動作中状態に戻り、中断したコピーが続行される。このとき、コピー開始ボタンを押したユーザは認識されない、即ち、誰がコピーを再開しても、最初のＵＩＤのユーザのコピージョブであるとして、コピー終了まで以後の処理を続ける。
【００５４】
本実施例では、ＩＤ識別手段としてＰＨＳＩＤ識別装置２６を用いたが、従来のカード又は暗証番号による識別手段を用いてもよいのは明白である。その場合、勿論、ユーザにはＩＤカードをセットするなどの煩わしい作業は残るが、携帯しているＰＨＳ内線端末により事業所内のどこにいても複写機の状態を通知できることは、変わりが無い。
【００５５】
本発明はまた、ＬＡＮ等のネットワークに接続された画像読み取り装置、即ちネットワークスキャナ又は複写機にも適用できる。
【００５６】
図７は、ネットワーク・スキャナに適用した本発明の一実施例の概略構成ブロック図である。１１０は、全体を制御するＣＰＵである。画像読み取り機構１１２は、複写機の場合と同様に、ガラス板からなる原稿台、原稿台に置いた原稿を押えるための圧板、原稿台に原稿が置かれているか否かを検出する原稿センサ、原稿台に置かれている原稿の画像を読み取るセンサ、およびセンサを駆動し原稿をスキャンするための駆動系を具備する。
【００５７】
このスキャナには、スタートボタンと液晶ディスプレイを備えた操作パネル（図示せず。）が装備されており、それぞれはＣＰＵ１１０に接続している。原稿台に原稿をセットし、操作パネルのスタートボタンを押すと、画像読み取り機構１１２が、原稿をディジタル画像信号として読み取り、ページメモリ１１４に格納する。
【００５８】
ＣＰＵ１１０は、ＴＣＰ／ＩＰプロトコルのＬＡＮインターフェース１１６を介してＬＡＮに接続する。ＣＰＯＵ１１０は、ページメモリ１１４に格納された原稿画像データを、ＬＡＮを介して、指定のＩＰアドレスの他の情報処理端末、例えばパーソナルコンピュータ等にＦＴＰプロトコルで転送できる。
【００５９】
このネットワークスキャナには、先に説明した実施例と同様に、ＰＨＳ端末１１８からの発信電波を受信するアンテナ１２０が、操作パネルの前面部に備え付けられている。アンテナ１２０は、復調パケット生成装置３４と同様に、受信電波を復調し強度信号込みのパケットデータを生成する復調パケット生成装置１２２に接続する。復調パケット生成装置１２２により生成されたパケットは、ＩＤ信号選択装置４２と同様に、ある一定時間の間に送信されてきたパケットデータの中からもっとも強度の強いものを選択し、そのＩＤデータを取り出してレジスタに格納するＩＤ信号選択装置１２４に供給される。
【００６０】
ＣＰＵ１１０には更に、登録ＩＤメモリ５２と同様の情報を記憶する登録ＩＤメモリ１２６、及び「原稿を取り忘れています。取りに来てください。」という内容のメッセージを記憶するメッセージ・メモリ１２８が接続する。
【００６１】
図７に示すネットワークスキャナの初期状態はスキャン禁止状態である。スキャン不可能状態からスキャン可能状態に移行するまでのアルゴリズムは、図３に示すフローチャートで、コピー禁止状態からからコピー可能状態に移行するまでのアルゴリズムとまったく同様であり、登録されたユーザがスキャナの前に来たときのみスキャン可能状態へと移行する。
【００６２】
本実施例の登録ＩＤメモリ１２６には予め、ＩＤデータと対にＩＰアドレスが登録されている。このＩＰアドレスは、ユーザ毎に読み取った画像データを送りたい端末の宛先を示すものであり、状態管理タスクにスキャン可能状態への移行を指示する時に同時に状態管理タスクに通知される。
【００６３】
従来のネットワークスキャナでは、画像データの送り先は、操作パネルなどを使用してユーザがその都度、指定しなければならなかった。これに対し、本実施例では、ユーザの開始ボタンを押す操作により、画像読み取り機構１１２からページメモリ１１４に画像データが格納されると、ＣＰＵ１１０は、登録ＩＤメモリ１２６にＩＤデータと対に登録されているＩＰアドレスを読み出し、その宛先の端末に対してＦＴＰコマンドによりページメモリ１１４上の画像データをファイル転送する。即ち、本実施例では、ユーザは、ネットワークスキャナのところへ行き、原稿をセットして読み取り開始ボタンを押すだけでよい。いちいち宛先を指定しなくても、読み取られた画像データは、予め登録されている自分のパーソナルコンピュータ等の情報処理端末へ自動的に転送される。
【００６４】
画像を受信するパーソナルコンピュータ等の情報処理端末では、スキャナ監視ユーティリティが常駐して動作している。このユーティリティは、ＦＴＰプロトコルを理解でき、ネットワークスキャナから送られた画像データを、ユーザが予め指定しておいたディレクトリに格納する。スキャナからのＦＴＰ中は、モニタ画面に「画像が送られて来ています。」というメッセージを表示し、ＦＴＰ完了後は、「画像ファイル受信完了しました。」というメッセージを表示してユーザに通知する。
【００６５】
ユーザは、情報処理端末側のユーティリティのメッセージ（画像ファイル受信完了しました。）により、画像読み取りの完了を知ることができるが、本実施例では更に、ＦＴＰ完了後に一定時間経過しても原稿台から原稿が取り除かれない場合、ＣＰＵ１１０は、メッセージメモリ１２６に記憶されるメッセージがを読み出し、Ｉ／Ｆ１１６を介して、同じ端末に送信する。情報処理端末のスキャナ監視ユーティリティは、受け取ったメッセージをモニタ画面に表示及び／又はスピーカから警告音又はメッセージ音声を出力することにより、ユーザに原稿を取りに行くように促す。
【００６６】
図７に示す実施例では、メッセージ発信手段としてコンピュータネットワークのデータ伝送プロトコルを利用する。
【００６７】
勿論、図７に示す実施例でも、図１〜図６に示す実施例と同様に、ＰＨＳ内線電話発信装置を備えることにより、ユーザが情報処理端末の前に居なくても、ＰＨＳ内線電話により原稿取り忘れをユーザに通知できる。
【００６８】
【発明の効果】
以上の説明から容易に理解できるように、本発明によれば、原稿の取り忘れ、連続コピー動作の終了、ジャムなどのエラー発生に対し、その時点の使用者を、装置から離れた場所にいても即座に呼び出すことができる。
【図面の簡単な説明】
【図１】  本発明の第１実施例の概略構成ブロック図である。
【図２】  本実施例の外観図である。
【図３】  本実施例のＩＤ判別処理のフローチャートである。
【図４】  本実施例のコピー終了通知のフローチャートの一部である。
【図５】  本実施例のコピー終了通知のフローチャートの一部である。
【図６】  本実施例のジャム通知のフローチャートである。
【図７】  ネットワークスキャナに適用した本発明の別の実施例の概略構成ブロック図である。
【符号の説明】
１０：スキャナ部
１２：プリンタ部
１４：操作パネル１４
１６：原稿台
１８：圧板
２０：用紙カセット
２２：手差し用紙口
２４：排出口
２６：ＰＨＳＩＤ識別装置
２８：ＰＨＳ内線電話発信装置
３０：受信アンテナ
３２：ＰＨＳ端末
３４：復調パケット生成装置
３６：復調回路
３８：パケット生成回路
４０：電波強度測定回路
４２：ＩＤ信号選択装置
４４：バッファ・メモリ
４６：選択回路
４８：レジスタ
５０：スキャナ制御ＣＰＵ
５２：登録ＩＤメモリ
５４：メッセージメモリ
５６：レジスタ
５８：内線電話発信制御回路
６０：番号呼出し回路
６２：音声発生装置
６４：セレクタ
６６：アンテナ
６８：変復調回路
１１０：ＣＰＵ
１１２：画像読み取り機構
１１４：ページメモリ
１１６：ＬＡＮインターフェース
１１８：ＰＨＳ端末
１２０：アンテナ
１２２：復調パケット生成装置
１２４：ＩＤ信号選択装置
１２６：登録ＩＤメモリ
１２８：メッセージ・メモリ
【図１】
0003919334.tif 000002
【図２】
0003919334.tif 000003
【図３】
0003919334.tif 000004
【図４】
0003919334.tif 000005
【図５】
0003919334.tif 000006
【図６】
0003919334.tif 000007
【図７】
0003919334.tif 000008